(57)【特許請求の範囲】
【請求項１】
感光体およびこれと対向するコロナ放電器と、前記感光体とコロナ放電器との間を通過するよう搬送される、トナー像を表面に有する転写材の裏面側を案内する転写材案内部材とを有してなり、前記感光体に形成されたトナー像を転写材に静電的に転写する工程を含むプロセスにより可視画像を形成する画像形成装置であって、
前記転写材案内部材は、導電剤および臭素原子含有有機化合物が含有されたポリプロピレンからなる導電性樹脂材料により形成され、ＪＩＳ  Ｋ６９１１による表面抵抗値が１×１０9 〜１×１０12Ωであり、転写材との摩擦による帯電極性がトナーの帯電極性と同極性である負極性であり、
前記導電性樹脂材料は、樹脂１００重量部に、カーボンブラックよりなる導電剤０．１〜１０重量部および臭素原子含有有機化合物０．１〜３０重量部が含有されているものであることを特徴とする画像形成装置。
【発明の詳細な説明】
【０００１】
【発明の属する技術分野】
本発明は、感光体に形成されたトナー像を転写材に静電的に転写する工程を含むプロセスによって可視画像を形成する画像形成装置、例えば電子写真法を適用した複写機、プリンタ、ファクシミリ等の、転写材案内部材を有する画像形成装置に関する。
【０００２】
【従来の技術】
従来、画像形成装置として、例えば電子写真法を適用した複写機、プリンタ、ファクシミリ等が知られており、特に感光体に形成されたトナー像を転写材に静電的に転写する工程を含むプロセスによって可視画像を形成する構成のものが広く使用されている。
【０００３】
具体的に説明すると、例えば電子写真法を適用した画像形成装置においては、感光体の表面を帯電器によって帯電させ、像露光により静電潜像を形成し、これをトナーよりなる現像剤によって現像してトナー像を形成し、このトナー像を保持する感光体に紙等よりなる転写材を密着させた状態で、転写用コロナ放電器におけるトナーと逆極性のコロナ放電の作用により、トナー像を転写材に静電的に転写させ、更に分離用コロナ放電器におけるコロナ放電の作用により、トナー像を有する転写材を感光体より静電的に分離させ、この分離した転写材のトナー像を定着させることにより、可視画像が形成される。
【０００４】
而して、このようなトナー像転写用または転写材分離用のコロナ放電器を備える画像形成装置においては、転写材を所定の搬送路に沿って搬送するための転写材案内部材を配置することが必要であり、これにより、転写材が誤って進行することがなく、例えばコロナ放電器の構造物に衝突して所期の搬送が阻害されることが防止される。
【０００５】
然るに、画像形成装置に用いられる転写材案内部材は、通常、電気絶縁性の樹脂により形成されるため、転写材を案内するときに当該転写材が摺動することによって当該案内部材が摩擦帯電し、その帯電電位は最高数ｋＶにも達することがあり、これが原因となって転写材に静電的に保持されているトナー像に乱れが生ずることがある。
【０００６】
すなわち、転写材との摩擦によって案内部材が帯電する場合に、当該転写材の種類、トナーの特性、環境条件、コロナ放電の状態、その他の理由から、案内部材の摩擦帯電の状態、例えばその極性および帯電電位の大きさが異常な状態となることがあり、その場合に、例えば案内部材の帯電極性がトナーと同極性であるときには、その作用によって転写材上のトナーが反発されて転写材から離脱するようになる結果、形成されるべき画像部の一部が欠落した状態となる。一方、案内部材の帯電極性がトナーと異極性であるときには、その作用によって転写材上の近傍からトナーを吸引吸着するようになる結果、形成されるべきではない画像部または汚れが形成されることとなる。
【０００７】
このような問題点に対し、従来、特開平４−３０１８７０号公報では、転写材案内部材を形成する材料として、トナーと逆極性に摩擦帯電する樹脂を用いることが提案されている。
しかしながら、このような手段では、案内部材が摩擦により帯電してしまうため、案内部材がトナーと同極性に帯電すると、転写材裏面の転写電荷を打ち消してしまい、トナーがその周辺部に引き付けられることによって当該部分のトナーが希薄になって白スジ（画像ヌケ）を発生し、一方、案内部材がトナーと逆極性に帯電すると、転写材表面の転写電荷が大きくなるためにトナーが集まって黒スジが発生し、結局、上述の問題点を必ずしも確実に解決することができず、また転写材案内部材として用いることのできる材料が制限を受けるため、必ずしも十分な特性を有するものを得ることができない。
【０００８】
また、特開平１−３０４４８０号公報では、転写材案内部材に導電材を配設しまたは導電性被覆を設けることが提案されている。
しかしながら、このような手段においては、高湿度環境下においては、転写材表面のコロナ電荷をリークさせてしまうため、トナーは周辺部へ移行して白スジを発生し、一方、低湿度環境下においては、摩擦帯電してしまうために白スジまたは黒スジの発生という問題が生じ、結局、高湿度および低湿度のいずれの環境条件下においても、白スジまたは黒スジが発生しないものを得ることができず、必ずしも十分な環境適応性および耐久性を得ることができない、という問題点がある。
【０００９】
【発明が解決しようとする課題】
以上のように、従来の転写材案内部材は、転写材との摩擦により帯電して転写材に静電的に保持されたトナー像を乱す原因となることがあり、また十分な環境適応性および耐久性を得ることができない。
本発明は、以上のような事情に基づいてなされたものであって、その目的は、トナー像を転写材に静電的に転写する工程を含むプロセスにより可視画像を形成する画像形成装置であって、転写材に保持されたトナー像を乱すことがなく、十分な環境適応性および耐久性を得ることができる転写材案内部材を備えてなる画像形成装置を提供することにある。
【００１１】
【課題を解決するための手段】
本発明に係る画像形成装置は、感光体およびこれと対向するコロナ放電器と、前記感光体とコロナ放電器との間を通過するよう搬送される、トナー像を表面に有する転写材の裏面側を案内する転写材案内部材とを有してなり、前記感光体に形成されたトナー像を転写材に静電的に転写する工程を含むプロセスにより可視画像を形成する画像形成装置であって、
前記転写材案内部材は、導電剤および臭素原子含有有機化合物が含有されたポリプロピレンからなる導電性樹脂材料により形成され、ＪＩＳ  Ｋ６９１１による表面抵抗値が１×１０9 〜１×１０12Ωであり、転写材との摩擦による帯電極性がトナーの帯電極性と同極性である負極性であり、
前記導電性樹脂材料は、樹脂１００重量部に、カーボンブラックよりなる導電剤０．１〜１０重量部および臭素原子含有有機化合物０．１〜３０重量部が含有されているものであることを特徴とする。
【００１４】
【作用】
本発明に係る転写材案内部材は、導電剤および臭素原子含有有機化合物が含有された樹脂からなる導電性樹脂材料を材質とするものであるため、その物性としての特性上、摩擦係数を低下せしめてスベリ性（摺動性）を向上せしめる効果を有しており、搬送される転写材と摺動されたときにも摩擦帯電しにくく、しかも摩擦帯電する場合にもその程度が低くて帯電電位が局部的に高い状態となることがない。
従って、表面に未定着のトナー像を静電的に保持する転写材の裏面が当該案内部材に対して摺動するよう当該転写材が搬送される場合にも、当該トナー像に乱れを生じさせる原因となることがなく、しかもこのような作用が環境条件の如何によらずに確実に発揮され、また耐久性が得られる。
【００１５】
また、当該転写材案内部材を形成する導電性樹脂材料は、主体部分である樹脂の種類が大きな制限を受けるものではないので、安価な樹脂を使用することができると共に、製造方法も単に樹脂中に導電剤および臭素原子含有有機化合物を含有させればよいので、例えば単に混練する方法によって製造することができ、従って製造が容易でコストが低いものである。
【００１６】
【発明の実施の形態】
図１は、電子写真法を利用する画像形成装置の一例の構成を示す説明図であって、１０は原稿照明部、２０は露光部、３０は画像形成処理部、３７は定着部、４０は転写材供給部、５０は転写材排出部を示す。
【００１７】
原稿照明部１０において、Ｕは照明ユニットを示し、この照明ユニットＵは、照明ランプ１１Ａと反射ミラー１１Ｂとよりなる照明光源部１１、並びに一対の反射ミラー１２Ａよりなる反射部１２により構成されており、原稿Ｄが配置される原稿台１５の下面に沿って移動可能に設けられている。１３は反射部１２からの光を導くレンズ、１４は受光部であって、図示しないレーザ発振部に接続されている。
【００１８】
露光部２０において、２１はレーザ制御部であってポリゴンミラー２２を有してなり、このポリゴンミラー２２により、受光部１４に入射された光信号に応じてレーザ光が制御され、このレーザ光が反射ミラー２４、２５、投影レンズ２３およびミラー２６を介して、画像形成処理部３０の感光体ドラム３２に照射されて走査される。
【００１９】
画像形成処理部３０において、３１はレーザ光照射部より上流側に設けられた帯電用放電器であり、３３はレーザ光照射部より下流側に設けられた現像器であって、現像スリーブ３３Ａを有する。Ｔは、現像器３３の下流側における転写分離部を示し、この転写分離部Ｔは、コロナ放電器よりなる転写器３４と、コロナ放電器よりなる分離器３５とにより構成され、この分離器３５の進行方向延長領域には、感光体ドラム３２より分離された、表面上にトナー像を保持する転写材を搬送する中継搬送手段３６が設けられている。
【００２０】
また、中継搬送手段３６の進行方向延長領域には定着部３７が配設され、この定着部３７には、内部にヒーターを有する加熱圧着ローラ３７Ａ，３７Ｂおよび出口ローラ３８が設けられている。
３９は、感光体ドラム３２の転写分離部Ｔの下流側に配設されたクリーニング手段であって、感光体ドラム３２に対接するクリーニングブレード３９Ａが設けられている。
【００２１】
転写材供給部４０は、例えば寸法の異なる転写材を収容する転写材トレイ４１が上下２段に配置されており、この転写材トレイ４１内に通常は紙よりなる転写材Ｐの堆積体がセットされる。４１Ａは、各転写材トレイ４１に設けられた送り出しローラ、４３は搬送ローラ、４４は転写分離部Ｔを臨む位置に設けられたレジストローラである。４５は、定着部３７からの転写材を排出する排出ローラである。
【００２２】
このような構成の画像形成装置においては、画像形成処理部３０の感光体ドラム３２が矢印方向に回転され、この回転に伴い、先ず帯電用放電器３１によって帯電され、次に原稿照明部１０により得られる原稿の光像に対応して、図示しないレーザ発振部よりのレーザ光がポリゴンミラー２２によって制御された状態で投射されて走査され、これにより感光体ドラム３２に静電潜像が形成される。
【００２３】
この感光体ドラム３２上の静電潜像は現像部３３により現像され、トナーが静電的に付着することによってトナー像が形成される。次いでトナー像は転写分離部Ｔに送られるが、この時までに転写材供給部４０から送り出されて待機状態に保持されていた転写材Ｐが、レジストローラ４４によって同期した状態で感光体ドラム３２に接触するよう供給され、感光体ドラム３２と転写器３４および分離器３５との間を通過するよう搬送されるが、転写器３４の上部を通過するときにそのコロナ放電の作用により、感光体ドラム３２上に形成されたトナー像が転写材の表面に静電的に転写される。
【００２４】
このようにしてトナー像を保持する転写材は次いで分離器３５に進み、当該分離器３５のコロナ放電の作用により転写材の裏面の電荷が除去され、これにより当該転写材は静電的に吸着されていた感光体ドラム３２から分離される。この転写材は中継搬送手段３６によって定着部３７に搬送され、この定着部３７でトナー像が転写材に加熱定着された後、排出ローラ４５を介して転写材排出部５０に排出される。
【００２５】
図２は、以上の画像形成装置における画像形成処理部３０の転写分離部Ｔを拡大して示す図である。図２に示すように、転写分離部Ｔにおいては、ステンレス鋼製のバックプレート６０が、転写材の進行方向（図で左方。以下、単に「進行方向」という。）と直角な感光体ドラム３２の軸方向（以下、単に「幅方向」という。）に伸びるガイドレール６１に摺動自在に装着されている。このバックプレート６０は、断面がコ字状で上部に開口を有し、後述する放電ワイヤの下面、前面および後面を包囲する板状部材であって、上部の開口が感光体ドラム３２の下面を臨む状態で支持部材６２により支持されている。
【００２６】
バックプレート６０には、感光体ドラム３２の下面部と対向する位置において幅方向に伸びるよう、転写器３４を構成する転写用放電ワイヤ３４Ａが保持されると共に、この転写用放電ワイヤ３４Ａより進行方向に離間した位置に、分離器３５を構成する２本の分離用放電ワイヤ３５Ａ，３５Ｂが保持されている。
【００２７】
転写器３４は転写ワイヤ３４Ａおよびこれを包囲するバックプレート６０により構成されるが、この転写器３４の上流側には、レジストローラ４４からの転写材を案内する転写材進入ガイド板６５が配置され、その後端部が転写ワイヤ３４Ａの上方位置近傍において感光体ドラム３２に接近するよう伸びている。
【００２８】
また、分離器３５は２本の分離ワイヤ３５Ａ，３５Ｂおよびこれらを包囲するバックプレート６０により構成されるが、この分離器３５には、後述する導電性樹脂材料よりなる分離部案内部材７０が当該バックプレート６０に支持された状態で設けられている。
【００２９】
この分離部案内部材７０は、図３にも示すように、各々幅方向に伸びてバックプレート６０の前面部および後面部の上縁部に懸架されて支持される互いに離間して並行なビーム部分７１，７１と、これらビーム部分７１，７１間に架橋状態に一体に形成された、各々の上縁がガイド縁として作用する複数のリブ状の案内素子７２とよりなる。図示の分離部案内部材７０における案内素子７２は、その上縁の進行方向における形態が緩やかな台形状または山形をなしており、かつ進行方向に向かうに従って次第に幅方向の中央に接近するよう斜めに伸びる状態とされている。
【００３０】
図４は、中継搬送手段３６の上面側斜視図であって、転写器３４および分離器３５が共に示されているが、分離部案内部材７０は省略されている。この中継搬送手段３６は、分離器３５の進行方向延長領域に配置され、感光体ドラム３２より分離された、表面上にトナー像を保持する転写材を定着部３７に向かって搬送する機能を有する。
【００３１】
図示の中継搬送手段３６は、幅方向における中央領域に、感光体ドラム３２から分離されて排出されて来る転写材の裏面（下面）に接触して搬送力を作用させる無端状搬送ベルト８０が一対のローラ（図２に符号８０Ａで示す。）に懸架して配設されている。
【００３２】
この搬送ベルト８０の幅方向における両側には、それぞれ、後述する導電性樹脂材料よりなる中継案内部材が配設されている。具体的には、搬送ベルト８０の奥側（図４で左上側）には第１の中継案内部材８１が配設されると共に、搬送ベルト８０の手前側（図４で右下側）には第２の中継案内部材８２が設けられている。
第１の中継案内部材８１および第２の中継案内部材８２は、いずれも、搬送ベルト８０の搬送作用領域と略同等のレベルとなるよう支持される上面を有し、当該上面には、各々進行方向に伸びる複数の突条８４が一体に形成されている。
【００３３】
図示の例の第１の中継案内部材８１は、全体が偏平な箱状であって固定して設けられているが、第２の中継案内部材８２は、進行方向に並ぶ２つの部分に分割されており、上流側部分８２Ａの下流端部が、固定して設けられた下流側部分８２Ｂの上流端に幅方向に伸びる軸８５の周りに回動自在に連結されており、これにより、当該上流側部分８２Ａは、その上流端が下方へ降下するよう回動自在に構成されている。そして、切替え支持機構８６の切替えレバー８８により、上流側部分８２Ａは、その上面が搬送ベルト８０の搬送作用領域と略同等のレベルとなる動作位置と下降した非動作位置との間で、切替え可能とされている。
【００３４】
而して、本発明においては、トナー像を静電的に保持する転写材がコロナ放電の作用を受ける転写分離部Ｔの領域、並びにこれより下流側の領域に配置されて当該転写材の裏面が摺動される可能性のある案内部材、すなわち、図の例では前記分離部案内部材７０および中継案内部材（第１の中継案内部材８１および第２の中継案内部材８２）の一部または全部のものの材質として、下記のような特定の導電性樹脂材料が用いられる。
【００３５】
この導電性樹脂材料は、樹脂中に導電剤および臭素原子含有有機化合物の両方を含有させてなるものである。ここに樹脂としては、ポリプロピレンからなる絶縁性樹脂が用いられる。ポリプロピレンは、コロナ放電によって劣化しない点およびコストの点から好ましいものである。
【００３６】
樹脂に含有される導電剤としては種々のものを用いることができるが、特にカーボンブラックを好ましく用いることができ、樹脂１００重量部に対する含有量は０．１〜１０重量部、特に０．１〜３．０重量部が好ましい。この含有量が過少であると、低湿度環境下において摩擦帯電し易くなり、一方、含有量が過多であると、高湿度環境下において転写材裏面のコロナ電荷をリークせしめ、画像に黒スジや白スジを発生せしめることがある。
【００３７】
臭素原子含有有機化合物としては、次の例示化合物から選ばれたものが好ましく用いられる。
（１）臭素化ホスフェート系化合物
Ａ．トリス（トリブロモネオペンチル）ホスフェート
Ｂ．トリス（ジブロモネオペンチル）ホスフェート
Ｃ．トリス（モノブロモネオペンチル）ホスフェート
（２）臭素化ビスフェノール系化合物
Ｄ．テトラブロモビスフェノールＡ−ビス（２，３−ジブロモプロピル）エーテル
Ｅ．テトラブロモビスフェノールＳ−ビス（２，３−ジブロモプロピル）エーテル
（３）ビス（臭素化フェニル）アルカン系化合物
Ｆ．１，１−ビス（ペンタブロモフェニル）メタン
Ｇ．１，２−ビス（ペンタブロモフェニル）エタン
Ｈ．１，３−ビス（ペンタブロモフェニル）プロパン
（４）臭素化シアヌレート系化合物
Ｉ．トリス（２，３−ジブロモプロピル）イソシアヌレート
【００３８】
以上の臭素原子含有有機化合物は、１種のみでなく、２種以上を併用することもできる。
臭素原子含有有機化合物の樹脂１００重量部に対する含有量は０．１〜３０重量部であり、特に０．５〜１０．０重量部、更に１．０〜５．０重量部が好ましい。この含有量が過少であると、摺動性が向上する効果が小さく、摩擦帯電し易くなり、画像不良を発生し、一方、過多であると、案内部材の機械的強度を低下せしめる。
【００３９】
以上のように、樹脂に対して特定の範囲の臭素原子含有有機化合物を含有させてなる導電性樹脂材料を材質とする案内部材は、搬送される転写材に対して良好な摺動性を有するものとなって好適な搬送性が得られると共に、導電剤が含有されることも加わって転写材との接触による摩擦帯電性が抑制されたものとなり、その結果、トナー像に乱れを生じさせることが防止される。
【００４０】
案内部材を形成する導電性樹脂材料には、導電剤および臭素原子含有有機化合物の他に、摺動性向上助剤として三酸化アンチモンを添加することが好ましく、その含有量は、樹脂１００重量部に対して０．１〜３０重量部とされるが、特に０．５〜１０．０重量部であることが好ましい。
【００４１】
以上のような特定の導電性樹脂材料よりなる案内部材は、ＪＩＳ  Ｋ６９１１による表面抵抗値が１×１０9 〜１×１０12Ωであるものとされる。
このような電気的性質を有することにより、特に低湿度環境条件下または高湿度環境条件下における案内部材の摩擦帯電の程度を確実に抑制することができ、トナー像に乱れを生じさせる原因となることが防止される。すなわち、表面抵抗値が過大であると、摩擦帯電の程度が確実に抑制されないために特に低湿度環境条件下でトナー像に乱れを生じさせるおそれがあり、一方、表面抵抗が過小であると、転写材の裏面における電荷が案内部材にリークして転写材のトナーに対する静電的保持力が低下するために、特に高湿度環境条件下でトナー像に乱れを生じさせるおそれがあり、また転写材の分離が不確実となることがある。
【００４２】
また、案内部材の導電性樹脂材料においては、それを構成する樹脂中に、必須の導電剤および臭素原子含有有機化合物と共に、既述の摺動性向上助剤の他に、他の添加剤を含有させることも可能である。
【００４３】
以上の導電性樹脂材料を調製する方法は特に制限されるものではなく、種々の方法を用いることができるが、通常は樹脂に導電剤および臭素原子含有有機化合物並びに必要に応じて用いられる他の添加剤を混合し、当該樹脂の軟化点以上の温度に加熱して混練すればよい。
また、導電性樹脂材料を用いて本発明の案内部材を作製するためには、種々の方法を利用することができるが、一般的には各種の成形法を用いるのが便利である。
【００４４】
以上、本発明について説明したが、本発明の案内部材の形状あるいは配置の態様は、実際に当該案内部材が組み込まれる画像形成処理部の具体的な構成に応じて、全く自由に設計することができる。案内部材は、基本的に転写材の進行方向に沿って伸びる複数の突条を有し、当該突条の上縁または頂縁が搬送される転写材の裏面に接触するように配設されることが好ましく、特に当該突条は、転写材の進行方向に対して若干斜めに傾斜していることが好ましい。
【００４５】
本発明の案内部材は、既述のように、分離器または転写器によりコロナ放電が発生され、表面にトナー像を静電的に保持する転写材が当該コロナ放電の作用を受ける放電作用領域（図示の例における転写分離部Ｔ）、並びにこの放電作用領域に続く下流側の中継領域に配設されることにより、その作用効果が最適に発揮される。
すなわち、これらの領域における案内部材は、転写材の裏面に接触し、転写材の進行に伴って当該転写材が摺動しながら通過する場合にも、当該案内部材が特定の導電剤および臭素原子含有有機化合物を含有する樹脂よりなる導電性樹脂材料により形成されているため、大きく摩擦帯電することがない。従って、転写材の表面に静電的に保持されている未定着のトナー像に対しても静電的な悪影響を与えることが回避され、その結果、トナー像に乱れのない良好な可視画像を形成することができる。
【００４６】
また、案内部材は、大きく摩擦帯電することがないものであっても、転写材と摩擦されたときには不可避的に僅かながらでも帯電するようになるが、その帯電極性は、転写材に保持されているトナー像に係るトナーの帯電極性と同極性であることが好ましい。従って、トナーとしてその負帯電性のものが用いられる画像形成装置における案内部材は、転写材に対する摩擦帯電極性が負極性のポリプロピレンを用いた導電性樹脂材料によるものが好ましい。
【００４７】
【実施例】
以下、本発明の実施例について説明するが、本発明はこれらの実施例に限定されるものではない。
〔導電性樹脂材料の調製〕
ポリプロピレン１００重量部と、カーボンブラック０．３重量部と、臭素原子含有有機化合物としてトリス（トリブロモネオペンチル）ホスフェート（例示化合物Ａ）２重量部と、三酸化アンチモン１重量部とを溶融混練して導電性樹脂材料を調製した。
〔案内部材の作製〕
以上により得られた導電性樹脂材料を成型することにより、図３に示す形状に従う案内部材を作製した。これを試料１とする。この試料１の表面抵抗値は３×１０10Ωであった。
【００４８】
〔案内部材の作製〕
また、臭素原子含有有機化合物として、例示化合物Ａの代わりに例示化合物Ｂ〜Ｉの各々を用いた他は、試料１の場合と同様にして、案内部材を作製した。これらを試料２〜試料８とする。
これらの試料の表面抵抗値は、いずれも１×１０8 〜１×１０13Ωの範囲内であった。
【００４９】
以上のようにして得られた試料１〜試料８の各々を電子写真方式による画像形成装置における分離器に装着し、画像形成工程を合計回数が５万回に達するまで繰り返して行ったところ、良好な複写画像を形成することができ、可視画像に乱れおよび汚れのあるものは全くなかった。
【００５０】
また、前記試料１に係る導電性樹脂材料の調製において、カーボンブラックの含有割合を変更することにより、種々の表面抵抗値を有する合計１０種の案内部材を作製した。これらを試料Ａ１〜Ａ１０とする。そして、その各々を用いて、上記と同様の画像形成装置に装着し、当該画像形成装置内の温度および湿度が変更された種々の環境条件において可視画像の乱れを調べた。結果は表１に示すとおりである。
表中、「○」は画像の乱れがないこと、「△」は画像に若干の白ヌケまたは黒スジを発生したこと、および「×」は画像に白ヌケまたは黒スジを著しく発生したことを表す。また、「低湿度環境」とは温度１０℃、相対湿度２０％の環境をいい、「高湿度環境」とは温度３０℃、相対湿度８０％の環境をいう。
【００５１】
【表１】
0003671617.tif 000002
【００５２】
また、前記試料に係る導電性樹脂材料の調製において、臭素原子含有有機化合物および三酸化アンチモンを含有させず、カーボンブラックの含有量を変更することにより、種々の表面抵抗値を有する合計１０種の比較用の案内部材を作製した。これらを比較試料Ｂ１〜Ｂ１０とする。そして、その各々を用いて、上記と同様の画像形成装置に装着し、当該画像形成装置内の温度および湿度が変更された種々の環境条件において可視画像の乱れを調べた。結果は表２に示すとおりである。
【００５３】
【表２】
0003671617.tif 000003
【００５４】
以上の結果から、本発明の画像形成装置によれば、多数回にわたる画像形成においても、環境条件によらずにトナー像に乱れが生じることがなくて良好な可視画像が形成されることが明らかである。
これに対して、比較試料では、低湿度環境下では摺動性が悪く、摩擦帯電のために表面抵抗値が高いものでは黒スジを発生し、一方高湿度環境下では、表面抵抗値が低いものは帯電電荷をリークさせてしまうために白スジを発生し、結局、良好な画像を得ることのできる表面抵抗値のものは得られなかった。
【００５５】
【発明の効果】
本発明に係る転写材案内部材は、導電剤および臭素原子含有有機化合物が含有された樹脂からなる導電性樹脂材料を材質とするものであるため、その物性としての特性上、搬送される転写材と摺動されたときにも摩擦帯電しにくく、しかも摩擦帯電する場合にもその程度が低くて帯電電位が局部的に高い状態となることがない。
従って、表面に未定着のトナー像を静電的に保持する転写材の裏面が当該案内部材に対して摺動するよう当該転写材が搬送される場合にも、当該トナー像に乱れを生じさせる原因となることがなく、しかもこのような作用が環境条件の如何によらずに確実に発揮され、また耐久性が得られる。
【００５６】
また、当該転写材案内部材を形成する導電性樹脂材料は、主体部分である樹脂の種類が大きな制限を受けるものではないので、安価な樹脂を使用することができると共に、製造方法も単に樹脂中に導電剤および臭素原子含有有機化合物を含有させればよいので、例えば単に混練する方法によって製造することができ、従って製造が容易でコストが低いものである。
【図面の簡単な説明】
【図１】電子写真法を利用する画像形成装置の一例の構成を示す説明図である。
【図２】図１の画像形成装置における画像形成処理部の転写分離部の構成を拡大して示す説明図である。
【図３】分離部案内部材の一例の構成を示す説明用斜視図である。
【図４】中継搬送手段の上面側斜視図である。
【符号の説明】
１０  清浄化用パネル                Ｕ  照明ユニット
１１  照明光源部                    １１Ａ  照明ランプ
１１Ｂ  反射ミラー                  １２  反射部
１２Ａ  反射ミラー                  Ｄ  原稿
１３  レンズ                        １４  受光部
１５  原稿台                        ２０  露光部
２１  レーザ制御部                  ２２  ポリゴンミラー
２３  投影レンズ                    ２４，２５  反射ミラー
２６  ミラー                        ３０  画像形成処理部
３１  帯電用放電器                  ３２  感光体ドラム
３３  現像器                        ３３Ａ  現像スリーブ
Ｔ  転写分離部                      ３４  転写器
３４Ａ  転写用放電ワイヤ            ３５  分離器
３５Ａ，３５Ｂ  分離用放電ワイヤ    ３６  中継搬送手段
３７  定着部                        ３７Ａ，３７Ｂ  加熱圧着ローラ
３８  出口ローラ                    ３９  クリーニング手段
３９Ａ  クリーニングブレード        ４０  転写材供給部
４１  転写材トレイ                  Ｐ  転写材
４１Ａ  送り出しローラ              ４３  搬送ローラ
４４  レジストローラ                ４５  排出ローラ
５０  転写材排出部                  ６０  バックプレート
６１  ガイドレール                  ６５  転写材進入ガイド板
７０  分離部案内部材                ７１  ビーム部分
７２  案内素子                      ８０  無端状搬送ベルト
８０Ａ  ローラ                      ８１  第１の中継案内部材
８２  第２の中継案内部材            ８２Ａ  上流側部分
８２Ｂ  下流端部                    ８４  突条
８５  軸                            ８６  切替え支持機構
８８  切替えレバー
【図１】
0003671617.tif 000004
【図２】
0003671617.tif 000005
【図３】
0003671617.tif 000006
【図４】
0003671617.tif 000007